(57)【要約】【課題】  タップ防滑スリーブの提供。【解決手段】  本考案は、タップ防滑スリーブであって、特に、中孔上段にタップ上端の方形部と嵌合する方形孔が設けられ、並びにその外縁にネジ立て機械のチャックの爪と対応する数量の平面挟持部が設けられ、これによりタップでネジ立てする時にネジ立て機械のチャックを確実に同期に回転させて空転を発生させない、タップ防滑スリーブである。【選択図】        図１
0003113433.tif 000002
【実用新案登録請求の範囲】
【請求項１】
タップ防滑スリーブにおいて、
該防滑スリーブは、防滑スリーブの中孔上段に、タップ上端の方形部と嵌合する方形孔が設けられ、並びに防滑スリーブの外縁にボール盤のチャックの爪に対応する数量の平面挟持部が設けられ、以上の設計により、タップに防滑スリーブが組み合わされ、ボール盤のチャックの爪で各平面挟持部が挟持されてネジ立て加工が行なわれる時、ボール盤のチャックがタップと同期に回転して空転を発生しないように形成されたことを特徴とする、タップ防滑スリーブ。
【請求項２】
請求項１記載のタップ防滑スリーブにおいて、防滑スリーブに別に固定ネジが設けられ、タップが防滑スリーブの中孔に挿入された時に該固定ネジによりタップが防滑スリーブにネジ止めされることを特徴とする、タップ防滑スリーブ。
【考案の詳細な説明】
【技術分野】
【０００１】
本考案は、タップ防滑スリーブに係り、特に、中孔上段にタップ上端の方形部と嵌合する方形孔が設けられ、並びにその外縁にボール盤のチャックの爪と対応する数量の平面挟持部が設けられ、これによりタップでネジ立てする時にボール盤のチャックを確実に同期に回転させて空転を発生させない、タップ防滑スリーブに関する。
【背景技術】
【０００２】
周知の各加工業中でタップ（２）を使用してネジ立て加工を行なう時、ほとんどは使用に便利で且つコスト負担が高くなり過ぎないことを考慮し、伝統的なボール盤によりタップ（２）のネジ立て加工プロセスを実行する。但し、このような方式を使用すると、ほとんどが伝統的なボール盤のチャックが確実に外周が円滑面であるタップ（２）を確実に挟持できないため、加工過程中にタップ（２）が係止されて回転せずボール盤のチャックが続けて回転する空転状況が発生し、これにより振動とタップ（２）を抜き取れなく状況が発生し、また、加工される工作物に加工不良の状況を発生させる。
【０００３】
上述の問題に基づき、ある業者は高額な費用を費やして図６に示されるようなタップ（２）専用のチャック（４２）とチャックシート（４）を購入し、タップ（２）をチャック（４２）の取り付け孔内に取り付けた後に、更にチャック（４２）後段をチャックシート（４）の取り付け孔（４１）に取り付けて位置決めし、更に組合せ完成したチャックシート（４）を別の専用機械に取り付けて、ネジ立て作業を行なっている。しかしこのような方式はタップ（２）のネジ立ての加工過程中の空転の問題を解決できるものの、このような専用のチャック（４２）の販売価格は高く且つ販売価格の高い専用機械と組み合わせて使用する必要があり、コストが大幅にアップし、業者の負担を形成する。
【考案の開示】
【考案が解決しようとする課題】
【０００４】
本考案は、一種のタップ防滑スリーブを提供することを目的とし、それは、中孔上段にタップ上端の方形部と嵌合する方形孔が設けられ、並びにその外縁にボール盤のチャックの爪と対応する数量の平面挟持部が設けられ、これによりタップでネジ立てする時にボール盤のチャックを確実に同期に回転させて空転を発生させないものとされる。
【課題を解決するための手段】
【０００５】
請求項１の考案は、タップ防滑スリーブにおいて、
該防滑スリーブは、防滑スリーブの中孔上段に、タップ上端の方形部と嵌合する方形孔が設けられ、並びに防滑スリーブの外縁にボール盤のチャックの爪に対応する数量の平面挟持部が設けられ、以上の設計により、タップに防滑スリーブが組み合わされ、ボール盤のチャックの爪で各平面挟持部が挟持されてネジ立て加工が行なわれる時、ボール盤のチャックがタップと同期に回転して空転を発生しないように形成されたことを特徴とする、タップ防滑スリーブとしている。
請求項２の考案は、請求項１記載のタップ防滑スリーブにおいて、防滑スリーブに別に固定ネジが設けられ、タップが防滑スリーブの中孔に挿入された時に該固定ネジによりタップが防滑スリーブにネジ止めされることを特徴とする、タップ防滑スリーブとしている。
【考案の効果】
【０００６】
本考案は以下のような長所を有している：
１．防滑スリーブの中孔上段にタップ上端の方形部と嵌合する方形孔が設けられ、並びにその外縁にボール盤のチャックの爪に対応する数量の平面挟持部が設けられ、これによりタップでネジ立てする時、ボール盤のチャックが確実に同期に回転して空転を発生せず、ネジ立て加工のプロセスを順調に、確実に行なえ、工作物の不良と作業員の事故、傷害を減らすことができる。
２．購入費用が低廉で、且つボール盤の両用性に影響を与えない。
３．タップを正確に位置決めした後、ネジ立ての深さを確実に所定の深さとすることができ、二次加工を必要とせず、生産コストを減らすことができる。
４．タップの使用寿命を延長できる。
【考案を実施するための最良の形態】
【０００７】
図１から図５に示されるように、本考案のタップ（２）の防滑スリーブ（１）は、防滑スリーブ（１）の中孔（１１）上段に、タップ（２）上端の方形部（２１）と嵌合する方形孔（１２）が設けられ、並びにその外縁にボール盤（３）のチャック（３１）の爪（３１１）に対応する数量の平面挟持部（１３）が設けられ、これによりタップ（２）でネジ立てする時、ボール盤（３）のチャック（３１）が確実に同期に回転して空転を発生しない。また、防滑スリーブ（１）に、別に固定ネジ（１４）が設けられ、タップ（２）が防滑スリーブ（１）の中孔（１１）に挿入され時に、該固定ネジ（１４）によりネジ止めされる。
【０００８】
総合すると、本考案はタップのネジ立て時にボール盤のチャックと確実に同期に回転させて空転を発生させず、これによりタップのネジ立て加工プロセスを順調に行なえるようにして不良品率を下げ、且つ伝統的なボール盤と組み合わせてネジ立て加工が行なえ、使用に便利であるほか、大幅に加工コストを下げることができる。
【図面の簡単な説明】
【０００９】
【図１】本考案の防滑スリーブとタップの立体分解図である。
【図２】本考案の防滑スリーブとタップの立体組合せ図である。
【図３】本考案の防滑スリーブとタップの組合せ断面図である。
【図４】本考案の防滑スリーブとボール盤のチャックの立体分解図である。
【図５】本考案の防滑スリーブとタップをボール盤に取り付けた実施例の立体図である。
【図６】周知のタップ専用のチャックの立体分解図である。
【符号の説明】
【００１０】
（１）防滑スリーブ
（１１）中孔
（１２）方形孔
（１３）平面挟持部
（１４）固定ネジ
（２）タップ
（２１）方形部
（３）ボール盤
（３１）チャック
（３１１）爪
（４）チャックシート
（４１）取り付け孔
（４２）チャック
【図１】
0003113433.tif 000003
【図２】
0003113433.tif 000004
【図３】
0003113433.tif 000005
【図４】
0003113433.tif 000006
【図５】
0003113433.tif 000007
【図６】
0003113433.tif 000008